(57)【要約】【課題】簡単かつ安価な構成で停電があったことを報知する電気給湯機の遠隔操作装置を提供すること。【解決手段】家外に設置された電機給湯機の加熱手段の駆動操作を行うため、家内に設置され、加熱手段の動作時間を制御するために用いられる時計を備えた電機給湯機の遠隔操作装置１０において、停電を検知する停電検知器１２と、通電されたときに停電の発生を表示する表示手段１６と、停電検知器１２により停電が検知されたときに、表示手段１６の駆動用電圧を印加する直流電源部１４と、表示手段１６の表示を解除する解除手段１８と、を有する構成とした。停電が発生すると、停電が発生した旨が表示手段１６によって表示され、この表示は解除手段１８より解除されるまで表示し続ける構成になっている。【選択図】図１
2012007749.tif 000002
【特許請求の範囲】
【請求項１】
家外に設置された電機給湯機の加熱手段の駆動操作を行うため、家内に設置され、前記加熱手段の動作時間を制御するために用いられる時計を備えた電機給湯機の遠隔操作装置において、
停電を検知する停電検知器と、
通電されたときに停電の発生を表示する表示手段と、
前記停電検知器により停電が検知されたときに、前記表示手段の駆動用電圧を印加する直流電源部と、
前記表示手段の表示を解除する解除手段と、
を有することを特徴とする電機給湯機の遠隔操作装置。
【請求項２】
前記表示手段は、
停電が発生した旨を、警告ランプ又は文字表示ランプのいずれか一方又は双方を点灯させることで表示することを特徴とする請求項１に記載の電気給湯機の遠隔操作装置。
【発明の詳細な説明】
【技術分野】
【０００１】
本発明は、電気給湯機の遠隔操作装置、特に、電気給湯機への電気の供給が停電等により停止したときに、停電があったことを使用者に報知する電気給湯機の遠隔操作装置に関する。
【背景技術】
【０００２】
電気給湯機は、タンク等に貯めた水を電気により沸かす装置であり、電気料金の低減を図るため電気料金の低い深夜に通電を行うように時間的制御が行われている。図３は、電気給湯機の概略構成図である。電気給湯機４０は、遠隔制御装置（リモコン）４２と制御部４６と給湯タンク５０を有する。
【０００３】
遠隔制御装置４２には時計４４が内蔵されており、この時計４４は、電気給湯機４０に入力される交流電圧（１００Ｖ又は２００Ｖ）により作動し、時刻を表示するものである。そして、この時計４４により、給湯タンク５０に内蔵されている加熱手段である電熱ヒータ４８の動作時間帯の制御が為されるように、制御部４６が組み込まれている。なお、動作時間帯の制御とは、電気料金が安い深夜の時間帯に、制御部４６が給湯タンク５０の電熱ヒータ４８に通電を行い、深夜時間帯でない時間帯では通電が行われないように制御することを意味する。
【０００４】
したがって、遠隔操作装置４２の時計４４の表示が正確な時刻を示していない場合、電気料金が安い深夜の時間帯ではなく、電気料金の高い時間帯に電気給湯機４０に通電が行われることになり、電気料金が必要以上に高くなるという不都合が生じることとなる。日常生活においては、時計４４の表示の狂いは、停電が発生して時計４４が動作しなくなった場合に発生する。使用者は、遠隔操作装置４２の時計４４を見て時刻が確認できるようになっているが、そのような停電の際には、使用者は時計４４が正確に表示されていないことに気が付かない場合が多い。
【０００５】
前述したように電気給湯機４０に入力される交流電圧が、例えば停電のため遮断された場合、時計４４が停止してしまうが、停電が復旧して電気給湯機４０に再び通電が行われた場合には、通常は時計４４は再び動作する。しかし、時計４４が動き出さず表示時刻がそのままになることもある。そうした場合には、表示時間の狂いは一層大きくなる。
【０００６】
上記の不都合を解消するために、例えば、電波時計用時刻取得手段を採用し、電気給湯機に電気が通電されないときであっても、常に正確な時刻を表示するように構成することが考えられるが、コスト的に問題がある。
【０００７】
特許文献１には、電波時計用時刻取得手段を採用せず、電気給湯機をインターネットでサーバに接続し、このサーバに正確な時刻を電気給湯機に提供する機能を持たせ、電気給湯機では常に正確な時刻が表示されるように構成された給湯システムが開示されている。
【０００８】
この給湯システムの技術を採用すれば、停電が発生して電気給湯機に電圧が供給されなくても表示時刻が狂うことがない。したがって、深夜時間帯以外の時間帯に電気給湯機に通電される不都合は生じない。
【先行技術文献】
【特許文献】
【０００９】
【特許文献１】特開２００８−７０３１３号公報
【発明の概要】
【発明が解決しようとする課題】
【００１０】
特許文献１に開示されている構成を採用すれば、時計は常に正確な時刻を表示し、深夜時間帯以外の時間帯に電気給湯機に通電される不都合は生じない。しかしながら、電気給湯機をインターネット介してサーバに接続し、サーバから正確な時刻情報を取り入れる構成であるため、システムが複雑で煩雑となる。また、システムが複雑であるためコスト的に高く付き、現状において、例えば、全家庭の電機給湯機に上記システムを導入することは困難である。
【００１１】
本発明は、これらの課題を解決するために為されたものであり、その目的は、簡単かつ安価な構成で停電があったことを報知する電気給湯機の遠隔操作装置を提供することにある。
【課題を解決するための手段】
【００１２】
上記の目的を達成するため、請求項１に記載の電気給湯機の遠隔操作装置は、
家外に設置された電機給湯機の加熱手段の駆動操作を行うため、家内に設置され、前記加熱手段の動作時間を制御するために用いられる時計を備えた電機給湯機の遠隔操作装置において、停電を検知する停電検知器と、通電されたときに停電の発生を表示する表示手段と、前記停電検知器により停電が検知されたときに、前記表示手段の駆動用電圧を印加する直流電源部と、前記表示手段の表示を解除する解除手段と、を有することを特徴とする。
【００１３】
この構成により、停電が発生し電気給湯機に交流電圧が入力されなくなると、まず遠隔操作装置の停電検知器が停電を検知する。停電が検知されると、遠隔操作装置に内蔵された直流電源部を用いて、遠隔操作装置の表示手段に停電を検知した旨が表示される。この表示は解除手段により解除されるまで表示し続ける。したがって、使用者は停電のあったことを認知することができ、時計の時刻表示を見て表示時刻が狂っていれば正しく直すように促されることとなる。使用者が表示時刻を正しく直すことにより、深夜電力時間帯以外の時間帯に電気給湯機に通電されることが防止される。
【００１４】
請求項２に記載の電気給湯機の遠隔操作装置は、請求項１に記載の電気給湯機の遠隔操作装置において、
前記表示手段は、停電が発生した旨を、警告ランプ又は文字表示ランプのいずれか一方又は双方を点灯させることで表示することを特徴とする。したがって、表示手段は、停電を検知した旨を、警告ランプ又は文字表示ランプのいずれか一方又は双方を、解除手段により解除されるまで点灯し続けるので、使用者は停電が発生したことを、点灯している警告ランプ等により素早く認知することができる。したがって、停電が発生したことを看過することなく確実に認知することができる。
【発明の効果】
【００１５】
本発明の電気給湯機の遠隔操作装置によれば、停電が発生し電気給湯機に交流電圧が入力されなくなると、例えば表示手段により警告ランプが点灯される。点灯した警告ランプは、解除手段により解除されるまで点灯し続ける。したがって、使用者は停電のあったことを認知することができ、時計の時刻表示が狂っていれば正しく直すように促されるので、深夜電力時間帯以外の時間帯に電気給湯機に給電すること防止することが可能である。したがって、深夜電力時間帯以外の時間帯で電気給湯機に通電することにより電気料金が必要以上に高くなるという不都合は発生しない。
【図面の簡単な説明】
【００１６】
【図１】本発明の電気給湯機の遠隔操作装置の概略構成図である。
【図２】本発明の電気給湯機の遠隔操作装置に係り、風呂に適用させた遠隔操作装置の概略平面図である。
【図３】電気給湯機の概略構成図である。
【発明を実施するための形態】
【００１７】
以下、本発明の電気給湯機の遠隔操作装置の実施の形態について、図面を参照しながら詳述する。図１は、本発明の電気給湯機の遠隔操作装置（リモコン）の概略構成図である。遠隔操作装置１０は、停電検知器１２、直流電源部１４、表示手段１６、解除手段１８を有する。
【００１８】
停電検知器１２は、入力される交流電圧（１００Ｖ又は２００Ｖ）が停電等により遮断されたとき、その入力が遮断されたことを検知するものである。この構成として、例えば、継電器を用い継電器の励磁コイルを入力される交流電圧で励磁し、常時は接点が付勢力に抗して開いている構成が考えられる。停電が発生すると継電器の励磁コイルが励磁されなくなり、接点は付勢力により閉じるので、この接点が閉じることで停電が検知される。
【００１９】
直流電源部１４は、例えばボタン電池、乾電池等を表す。上記の停電検知器１２により停電が検知されると、例えば上記の継電器の接点が閉じ、直流電源部１２から表示手段１６に電源が供給されるように構成される。なお、直流電源部１４は太陽電池であっても良い。
【００２０】
表示手段１６は、内部に簡単な電子回路が組み込まれており、直流電源部１４から直流電圧が供給されることにより、警告ランプ又は文字表示ランプのいずれか一方又は双方が点灯するように構成されている。そして、点灯した警告ランプ又は文字表示ランプは、解除手段１８により解除されるまで点灯し続ける構成になっている。これは、一旦停電が発生し、その後再び給電が開始されたときに、点灯していた警告ランプ又は文字表示ランプが消灯してしまうと、使用者が停電のあったことを看過してしまうので、これを防止するために設けられたものである。
【００２１】
解除手段１８は、例えば簡単なフリップフロップ回路構成しておき、一旦警告ランプ又は文字表示ランプが点灯したら、リセットされるまでその状態を保持するように電子回路を用いて構成することができる。この構成により、停電後再び通電が開始されても、上記のフリップフロップ回路がリセットされるまで、警告ランプ等が点灯し続けるので、使用者は停電が発生したことを看過することなく確実に認知することができる。
【００２２】
図２は、本発明の電気給湯機の遠隔操作装置に係り、風呂に適用した遠隔操作装置の概略平面図である。遠隔操作装置（リモコン）２０は、電気給湯機を操作するためのものであり、表示手段である表示部１６と、警告ランプ２４と、各種の操作用ボタン３２〜３８と、解除手段の一部である解除ボタン１８ａを有する。また、表示時刻を修正するための修正ボタン１９が設けられている。
【００２３】
遠隔操作装置（リモコン）２０内には、図１に示した停電検知器、直流電源部、表示手段、解除手段等が組み込まれている。なお、表示手段は図２の表示部１６と同一であり、解除手段の一部が図２の解除ボタン１８ａである。その他の構成要素は図示していない。
【００２４】
表示部１６には、風呂の設定温度表示部２８と、内蔵する時計（図示せず）の時刻を表示する時刻表示部３０と、停電があったときに点灯する文字表示ランプ２６が設けられている。文字表示ランプ２６は、例えば「停電有り」と表示するランプである。操作用ボタンは、ふろを自動で沸かす「ふろ自動」ボタン３２、沸き増しする「沸き増し」ボタン３４、設定温度等を低くする「低（遅）」ボタン３６、設定温度等を高くする「高（進）」ボタン３８がある。また、警告ランプ２４は、遠隔操作装置２０の平面図において、表示部１６の右下方に設けられており、停電があった場合に点灯する。解除ボタン１８ａは遠隔操作装置２０の側部に突出して設けられており、この解除ボタン１８ａを押し込むと接点（図示していない）が閉じ、手を離すと接点が開くように構成されている。解除ボタン１８ａを押し込むと、表示手段１６による停電発生の旨の表示が解除される。また、表示時刻を修正するときには、修正ボタン１９を押し、「低（遅）」ボタン３６又は「高（進）」ボタン３８により表示時刻を修正することが可能になっている。
【００２５】
図２に示す風呂用の遠隔操作装置２０の動作は以下の様である。停電が発生すると、入力交流電圧が零となり、遠隔操作装置２０の停電検知器が停電を検知して、直流電源部から直流電圧が表示手段に供給される。すると、遠隔操作装置２０の表示部１６の文字表示ランプ２６、例えば「停電有り」が点灯し、同時に警告ランプ２４も点灯する。点灯した警告ランプ２４及び文字表示ランプ２６は、解除ボタン１８ａを押して点灯を解除するまでは点灯し続ける。
【００２６】
以上の構成により、使用者は停電が発生したことを警告ランプ１８及び文字表示ランプ２６により知ることができる。この時、音による報知も為されるように構成しても良い。停電が発生したことを認知した使用者は、遠隔操作装置２０の表示部１６の時刻表示部３０を見て、表示時刻が狂っている（ずれている）場合には時刻を正確な時刻に直すことができる。これにより、深夜電力時間帯以外の時間に、電気給湯機に通電されることが防止されることとなる。なお、停電が発生してその後に復旧した場合、時計が正常に動作し始めたとしても、警告ランプ２４又は表示ランプ２６は、解除ボタン１８ａを押さない限り消灯しないので、使用者は停電があったことを看過することが確実に防止される。
【００２７】
したがって、本発明の電気給湯機の遠隔操作装置によれば、簡単な構成で電気給湯機に停電が発生したことを使用者が容易に知ることができ、これにより時刻表示部３０の表示時刻の狂い（ずれ）を直し、深夜電力時間帯以外の時間に、電気給湯機に通電される不具合を解消することが可能である。本発明の電気給湯機の遠隔操作装置１０、２０は、簡単かつ安価な構成であるので、既設の電気給湯機の遠隔操作装置を大幅に改造することなく、付属の回路を組み込むだけでその機能を付加することが可能である。若しくは、既設の電気給湯機の遠隔操作装置を本発明の遠隔操作装置１０、２０と交換するようにしても良い。
【００２８】
なお、本発明は上記の実施の形態に限定されるものではなく、本発明の趣旨を逸脱しない範囲で種々の変更が可能である。例えば、直流電源部として乾電池等を例示したが、太陽電池であっても良い。また、停電検知器として継電器を例示したが電子的な回路構成であっても良い。
【符号の説明】
【００２９】
１０、２０  遠隔操作装置（リモコン）
１２  停電検知器
１４  直流電源部
１６  表示手段（表示部）
１８  解除手段
２４  警告ランプ
２６  文字表示ランプ
２８  設定温度表示部
３０  時刻表示部
３２〜３８  設定ボタン
４０  電気給湯機
４２  遠隔操作装置（リモコン）
４４  時計
４６  制御部
４８  電熱ヒータ（加熱手段）
５０  給湯タンク
【図１】
2012007749.tif 000003
【図２】
2012007749.tif 000004
【図３】
2012007749.tif 000005